(57)【要約】      （修正有）【課題】構造が容易な文房具で、揺動しても転倒しない起き上がりこぼし状の卓上載置型文具を提供する。【解決手段】木製や樹脂製で卓上に載置して使用する卓上載置型文具において、略球状で大きさが直径２５ｍｍ〜４０ｍｍである胴体部１０と、胴体部の下部に内装された錘１８とを備え、重心が下方に位置し、揺動可能で倒れない起き上がりこぼし状であり、胴体部１０の上部に略上下に伸びて穿設されたペンを挿嵌するペン穴１６を有するペン立て１とする。【選択図】図２
0003157519.tif 000002
【実用新案登録請求の範囲】
【請求項１】
木製や樹脂製で卓上に載置して使用する卓上載置型文具において、
略球状で大きさが直径２５ｍｍ〜４０ｍｍである胴体部と、
該胴体部の下部に内装された錘とを備え、
重心が下方に位置し、揺動可能で倒れない起き上がりこぼし状であることを特徴とする卓上載置型文具。
【請求項２】
前記胴体部の底部に雌ねじ穴が穿設されると共に、前記錘の外周に雄ねじが設けられ、該錘が該雌ねじ穴に螺嵌されていることを特徴とする請求項１記載の卓上載置型文具。
【請求項３】
前記胴体部が、栃で作られていることを特徴とする請求項１又は請求項２記載の卓上載置型文具。
【請求項４】
前記胴体部の上部に略上下に伸びて穿設されたペンを挿嵌するペン穴を有するペン立てであることを特徴とする請求項１〜請求項３のいずれかに記載の卓上載置型文具。
【考案の詳細な説明】
【技術分野】
【０００１】
本考案は、文鎮やペン立て等の卓上に載置して使用する卓上載置型文具に関する。
【背景技術】
【０００２】
従来より、文鎮やペン立て等の卓上に載置して使用する卓上載置型文具は、いろいろな物が用いられている。例えば従来の文鎮やペン立て等は、直方体状や円錐状で揺動するような構造を有していない。一方、特許文献１に示される起き上がりこぼし型筆記具は、筆記部外装体の外周下面が半球面状で、錘を内装することで、起き上がりこぼし状になっている。この起き上がり型筆記具は、内部には、ノックして先端から筆記具の芯を出没させるボールペンやシャープペン等の筆記具を備えている。
【先行技術文献】
【特許文献】
【０００３】
【特許文献１】登録実用新案第３０９９４６３号公報
【考案の概要】
【考案が解決しようとする課題】
【０００４】
しかしながら、従来の卓上載置型文具は、簡単な形状の文鎮やペン立てでは、倒れかかっても元に戻ることがぜきず、転倒してしまうものばかりである。一方で、卓上に載置する筆記具で起き上がりこぼし状のものはあるが、その構造は複雑で、簡易な構造・形状の文具ではない。
【０００５】
本考案は、このような事情に鑑みてなされたもので、構造が容易な文房具で、揺動しても転倒しない起き上がりこぼし状の卓上載置型文具を提供することにある。
【課題を解決するための手段】
【０００６】
請求項１記載の卓上載置型文具は、略球状で大きさが直径２５ｍｍ〜４０ｍｍである胴体部と、胴体部の下部に内装された錘とを備え、重心が下方に位置し、揺動可能で倒れない起き上がりこぼし状であることを特徴とする。
【０００７】
請求項２記載の卓上載置型文具は、胴体部の底部に雌ねじ穴が穿設されると共に、錘の外周に雄ねじが設けられ、錘が雌ねじ穴に螺嵌されていることを特徴とする。
【０００８】
請求項３記載の卓上載置型文具は、胴体部が、栃で作られていることを特徴とする。
【０００９】
請求項４記載の卓上載置型文具は、胴体部の上部に略上下に伸びて穿設されたペンを挿嵌するペン穴を有するペン立てであることを特徴とする。
【考案の効果】
【００１０】
請求項１及び請求項４の考案によれば、胴体部が直径２５ｍｍ〜４０ｍｍの略球状で、重心が下方に位置し、揺動可能で倒れない起き上がりこぼし状であることから、安易な構造で卓上で転倒しにくい。
【００１１】
請求項２の考案によれば、胴体部の底部に雌ねじ穴が穿設されると共に、錘の外周に雄ねじが設けられ、錘が雌ねじ穴に螺嵌されていることから、組み立てやすい。
【００１２】
請求項３の考案によれば、胴体部が栃で作られていることから、表面に光沢性を有し、独特な意匠性を有して、美観に優れている。
【図面の簡単な説明】
【００１３】
【図１】本考案に係る卓上載置型文具の一例であるペン立てを示す斜視図である。
【図２】同ペン立ての断面説明図である。
【図３】本考案に係る卓上載置型文具の一例であるペン立ての他の例を示す断面説明図である。
【考案を実施するための形態】
【００１４】
以下、本考案の形態について図面を参照しながら具体的に説明する。本考案の形態における卓上載置型文具は、木製や樹脂製で卓上に載置して使用する文具で、例えば、ペン立て１，２、文鎮、メモクリップ等である。
【実施例】
【００１５】
図１は、本考案に係る卓上載置型文具の一例であるペン立てを示す斜視図である。図２は、同ペン立ての断面説明図である。図３は、本考案に係る卓上載置型文具の一例であるペン立ての他の例を示す断面説明図である。図１〜図３に示すペン立て１，２は、卓上載置型文具の一例である。
【００１６】
ペン立て１は、木製で略球状で上面視の直径が約４０ｍｍで高さが約３５ｍｍの胴体部１０と、胴体部１０の下部に内装された錘１８とから構成されている。胴体部１０は、上面視中央に、上下に伸びるペン穴１６が穿設されている。このペン穴１６の径は、鉛筆６やボールペン等のペン状の筆記具が入る大きさである。胴体部１０の底面には、雌ねじを内周に設けられた雌ねじ穴１２が穿設されている。胴体部１０の材質は、鉛筆６等の筆記具を保持できる固さのものであれば金属でも樹脂でも良いが、特に木材であることが好ましい。また、木材の中でも、栃などは表面に光沢性を有し、独特な意匠性を有して、美観に優れている。他の木材としては、柿などでもよく、また黒炭であってもよい。
【００１７】
錘１８は、略円柱形で外周に雄ねじ山１８ａが切削されてる。錘１８は、胴体部１０の雌ねじ穴１２にねじ込まれて螺嵌され、胴体部１０の底面に沿うように内装される。錘１８は、鉛などの金属や樹脂等、胴体部１０よりも十分に重く、胴体部１０の重心が下方に位置し、胴体部１０が揺動可能で倒れない起き上がりこぼし状になるようにするものである（図２の二重鎖線参照）。尚、錘１８の底部分に、にフェルト状のシートを貼付して、卓上面が傷つけないようにしてもよい。
【００１８】
このペン立て１によれば、重心が下方に位置し、揺動可能で倒れない起き上がりこぼし状であることから、安易な構造で卓上で転倒しにくい。また、胴体部１０は、略球状で直径２５ｍｍ〜４０ｍｍが好ましく、この大きさだと手の中にすっぽり収まる大きさで、木製の胴体部１０を握ることで、表面の肌触り等により、ストレス発散の効果を期待することもできる。
【００１９】
さらに、胴体部１０の底部に雌ねじ穴１２が穿設されると共に、錘１８の外周に雄ねじ山１８ａが設けられ、錘１８が雌ねじ穴１２に螺嵌される構造のため、組み立てやすい。
【００２０】
尚、上述のペン立て１では、錘１８を胴体部１０の雌ねじ穴１２にねじ込んで内装させているが、このような構造に限られるものではなく、図３に示すペン立て２のような構造でもよい。図３で断面説明図を示すペン立て２は、胴体部２０の外観及びペン穴２６はペン立て１と同様である。そして、雌ねじ穴１２の代わりに丸穴である錘穴２２が穿設されている。また、錘穴２２の奥側の周囲には、錘穴２２から外側に伸びて穿設された細穴状の係止穴２４が複数穿設されている。そして、この錘穴２２及び係止穴２４に、溶解した鉛などの金属や樹脂を封入し、固化させることにより、錘２８を形成させる。錘２８の係止穴２４に入った部分が、胴体部２０に係止することにより、錘２８は胴体部２０から脱落しない。
【産業上の利用可能性】
【００２１】
本考案により、構造が容易な文房具で、揺動しても転倒しない起き上がりこぼし状の卓上載置型文具を提供することができる。
【符号の説明】
【００２２】
１・・・・・ペン立て
２・・・・・ペン立て
６・・・・・鉛筆
１０・・・・胴体部
１２・・・・雌ねじ穴
１６・・・・ペン穴
１８・・・・錘
１８ａ・・・雄ねじ山
２０・・・・胴体部
２２・・・・錘穴
２４・・・・係止穴
２６・・・・ペン穴
２８・・・・錘
【図１】
0003157519.tif 000003
【図２】
0003157519.tif 000004
【図３】
0003157519.tif 000005